(57)【要約】【課題】液圧ポンプおよびマスタシリンダ間に介設されるサクション弁が、サクション弁およびリザーバピストン間に介装される中間ピストンの作動に応じて開閉されるようにした車両用ブレーキ液圧制御装置において、通常のブレーキ操作時の操作開始初期の操作フィーリングを高める。【解決手段】リザーバスプリング３３よりも小さなばね荷重のコイル状の第１スプリング７６ならびに第１スプリング７６よりも大きくかつリザーバスプリング３３よりも小さなばね荷重のコイル状の第２スプリング７７を有するとともにサクション弁を閉じる側への中間ピストン５７の移動時に第１スプリング７６が所定値以上圧縮されるのに応じて第２スプリング７７によるばね力の中間ピストン５７への作用が開始されるようにした弾発手段７５が、リザーバピストン３２および中間ピストン５７間に介装されるようにしてリザーバピストン３２内に収容される。【選択図】      図４
2016124339.tif 000002
【特許請求の範囲】
【請求項１】
車輪ブレーキ（ＢＡ，ＢＢ，ＢＣ，ＢＤ）から減圧されたブレーキ液を貯留するリザーバ室（２６）をボディ（３０）との間に形成しつつ前記ボディ（３０）に設けられたリザーバ孔（３１）に摺動可能に嵌合されるリザーバピストン（３２）が前記リザーバ室（２６）の容積を縮小する側にリザーバスプリング（３３）で付勢されて成るリザーバ（１９Ａ，１９Ｂ）と、前記リザーバ室（２６）からのブレーキ液の流入を可能としつつ液圧ポンプ（２３Ａ，２３Ｂ）の吸入側に連通する吸入室（２５）ならびにマスタシリンダ（Ｍ）間に介設されるサクション弁（２８Ａ，２８Ｂ）と、前記液圧ポンプ（２３Ａ，２３Ｂ）の非作動状態での前記マスタシリンダ（Ｍ）からの液圧出力に応じた前記サクション弁（２８Ａ，２８Ｂ）の閉弁状態ならびに前記液圧ポンプ（２３Ａ，２３Ｂ）の作動に伴う前記吸入室（２５）の液圧低下および前記リザーバ室（２６）の容積縮小に応じた前記サクション弁（２８Ａ，２８Ｂ）の開弁状態を切替えるようにして前記サクション弁（２８Ａ，２８Ｂ）および前記リザーバピストン（３２）間に介設される中間ピストン（５７）とを備える車両用ブレーキ液圧制御装置において、前記リザーバスプリング（３３）よりも小さなばね荷重のコイル状の第１スプリング（７６）ならびに第１スプリング（７６）よりも大きくかつ前記リザーバスプリング（３３）よりも小さなばね荷重のコイル状の第２スプリング（７７）を有するとともに前記サクション弁（２８Ａ，２８Ｂ）を閉じる側への前記中間ピストン（５７）の移動時に前記第１スプリング（７６）が所定値以上圧縮されるのに応じて前記第２スプリング（７７）によるばね力の前記中間ピストン（５７）への作用が開始されるようにした弾発手段（７５，９０）が、前記リザーバピストン（３２）および前記中間ピストン（５７）間に介装されるようにして前記リザーバピストン（３２）内に収容されることを特徴とする車両用ブレーキ液圧制御装置。
【請求項２】
前記第１スプリング（７６）と、その第１スプリング（７６）を囲繞する第２スプリング（７７）とが同軸に配置されることを特徴とする請求項１に記載の車両用ブレーキ液圧制御装置。
【請求項３】
前記弾発手段（７５，９０）は、前記リザーバピストン（３２）との間に前記第１スプリング（７６）が介設されるようにして前記中間ピストン（５７）に当接する第１リテーナ（７８，９１）と、一端部が前記リザーバピストン（３２）に当接する第２スプリング（７７）の前記中間ピストン（５７）側の他端部を受けることを可能として前記リザーバピストン（３２）に固定される第２リテーナ（７９，９２）とを備え、第１スプリング（７６）を前記所定値以上収縮させるように前記第１リテーナ（７８，９１）が前記リザーバピストン（３２）側に近接したときに前記第２リテーナ（７９，９２）に当接していた前記第２スプリング（７７）の前記他端部に前記中間ピストン（５７）側から前記第１リテーナ（７８，９１）が当接するように前記第１リテーナ（７８，９１）および前記第２リテーナ（７９，９２）が形成されることを特徴とする請求項２に記載の車両用ブレーキ液圧制御装置。
【請求項４】
前記第１リテーナ（９１）および前記第２リテーナ（９２）が、前記リザーバピストン（３２）の軸方向での制限された範囲での相対移動を可能として相互に組み付けられることを特徴とする請求項３に記載の車両用ブレーキ液圧制御装置。
【請求項５】
前記第１リテーナ（７８，９１）が、前記中間ピストン（５７）に当接する円盤部（７８ａ，９１ａ）と、該円盤部（７８ａ，９１ａ）の中央部に同軸に連なる軸部（７８ｂ，９１ｂ）とを一体に有し、前記リザーバピストン（３２）に、前記円盤部（７８ａ，９１ａ）の外周を摺動可能に嵌合させる第１ガイド部（８２，９３）と、前記軸部（７８ｂ，９１ｂ）を摺動可能に嵌合させる第２ガイド部（８３，９４）とが設けられることを特徴とする請求項１〜４のいずれか１項に記載の車両用ブレーキ液圧制御装置。
【請求項６】
前記円盤部（７８ａ）の前記リザーバピストン（３２）からの離脱を阻止する形状を有して前記リザーバピストン（３２）とは別体に形成される筒部材（８１）が前記リザーバピストン（３２）に固定され、前記第１ガイド部（８２）が前記筒部材（８１）で形成されることを特徴とする請求項５に記載の車両用ブレーキ液圧制御装置。
【発明の詳細な説明】
【技術分野】
【０００１】
本発明は、車輪ブレーキから減圧されたブレーキ液を貯留するリザーバ室をボディとの間に形成しつつ前記ボディに設けられたリザーバ孔に摺動可能に嵌合されるリザーバピストンが前記リザーバ室の容積を縮小する側にリザーバスプリングで付勢されて成るリザーバと、前記リザーバ室からのブレーキ液の流入を可能としつつ液圧ポンプの吸入側に連通する吸入室ならびにマスタシリンダ間に介設されるサクション弁と、前記液圧ポンプの非作動状態での前記マスタシリンダからの液圧出力に応じた前記サクション弁の閉弁状態ならびに前記液圧ポンプの作動に伴う前記吸入室の液圧低下および前記リザーバ室の容積縮小に応じた前記サクション弁の開弁状態を切替えるようにして前記サクション弁および前記リザーバピストン間に介設されてる中間ピストンとを備える車両用ブレーキ液圧制御装置に関する。
【背景技術】
【０００２】
マスタシリンダおよび液圧ポンプ間に、マスタシリンダの出力圧に応じて機械的に閉弁するとともにリザーバが備えるリザーバ室の容積縮小に応じて開弁するようにしたリザーバ協調型のサクション弁が設けられるようにした車両用ブレーキ液圧制御装置は、特許文献１で既に知られている。
【先行技術文献】
【特許文献】
【０００３】
【特許文献１】特開平６−８８１０号公報
【発明の概要】
【発明が解決しようとする課題】
【０００４】
ところで、このような車両用ブレーキ液圧制御装置では、通常ブレーキ時にブレーキペダルを操作してマスタシリンダから液圧を出力すると、サクション弁が閉弁して液圧ポンプの吸入側に通じる吸入室にマスタシリンダからの作動液が流入するのが阻止され、車輪ブレーキにブレーキ操作に応じたブレーキ液圧が作用することになるのであるが、前記ブレーキペダルの操作開始から前記サクション弁が閉弁するまでの間に液損が生じ、その分だけブレーキペダルがストロークするので、車両運転者によっては違和感を感じることがある。上記特許文献１で開示されたものでは、前記リザーバ室の容積縮小に応じた前記リザーバピストンの移動に応じて前記サクション弁を開弁するだけのばね力を発揮するように、リザーバスプリングのばね荷重は比較的大きく設定されている。そのため、液損発生時にリザーバスプリングを圧縮させるための比較的大きな操作荷重が必要となり、操作フィーリングの悪化を招いている。
【０００５】
本発明は、かかる事情に鑑みてなされたものであり、通常のブレーキ操作時の操作開始初期の操作フィーリングが向上するようにした車両用ブレーキ液圧制御装置を提供することを目的とする。
【課題を解決するための手段】
【０００６】
上記目的を達成するために、本発明は、車輪ブレーキから減圧されたブレーキ液を貯留するリザーバ室をボディとの間に形成しつつ前記ボディに設けられたリザーバ孔に摺動可能に嵌合されるリザーバピストンが前記リザーバ室の容積を縮小する側にリザーバスプリングで付勢されて成るリザーバと、前記リザーバ室からのブレーキ液の流入を可能としつつ液圧ポンプの吸入側に連通する吸入室ならびにマスタシリンダ間に介設されるサクション弁と、前記液圧ポンプの非作動状態での前記マスタシリンダからの液圧出力に応じた前記サクション弁の閉弁状態ならびに前記液圧ポンプの作動に伴う前記吸入室の液圧低下および前記リザーバ室の容積縮小に応じた前記サクション弁の開弁状態を切替えるようにして前記サクション弁および前記リザーバピストン間に介設される中間ピストンとを備える車両用ブレーキ液圧制御装置において、前記リザーバスプリングよりも小さなばね荷重のコイル状の第１スプリングならびに第１スプリングよりも大きくかつ前記リザーバスプリングよりも小さなばね荷重のコイル状の第２スプリングを有するとともに前記サクション弁を閉じる側への前記中間ピストンの移動時に前記第１スプリングが所定値以上圧縮されるのに応じて前記第２スプリングによるばね力の前記中間ピストンへの作用が開始されるようにした弾発手段が、前記リザーバピストンおよび前記中間ピストン間に介装されるようにして前記リザーバピストン内に収容されることを第１の特徴とする。
【０００７】
本発明は、第１の特徴の構成に加えて、前記第１スプリングと、その第１スプリングを囲繞する第２スプリングとが同軸に配置されることを第２の特徴とする。
【０００８】
本発明は、第２の特徴の構成に加えて、前記弾発手段は、前記リザーバピストンとの間に前記第１スプリングが介設されるようにして前記中間ピストンに当接する第１リテーナと、一端部が前記リザーバピストンに当接する第２スプリングの前記中間ピストン側の他端部を受けることを可能として前記リザーバピストンに固定される第２リテーナとを備え、第１スプリングを前記所定値以上収縮させるように前記第１リテーナが前記リザーバピストン側に近接したときに前記第２リテーナに当接していた前記第２スプリングの前記他端部に前記中間ピストン側から前記第１リテーナが当接するように前記第１リテーナおよび前記第２リテーナが形成されることを第３の特徴とする。
【０００９】
本発明は、第３の特徴の構成に加えて、前記第１リテーナおよび前記第２リテーナが、前記リザーバピストンの軸方向での制限された範囲での相対移動を可能として相互に組み付けられることを第４の特徴とする。
【００１０】
本発明は、第１〜第４の特徴の構成のいずれかに加えて、前記第１リテーナが、前記中間ピストンに当接する円盤部と、該円盤部の中央部に同軸に連なる軸部とを一体に有し、前記リザーバピストンに、前記円盤部の外周を摺動可能に嵌合させる第１ガイド部と、前記軸部を摺動可能に嵌合させる第２ガイド部とが設けられることを第５の特徴とする。
【００１１】
さらに本発明は、第５の特徴の構成に加えて、前記円盤部の前記リザーバピストンからの離脱を阻止する形状を有して前記リザーバピストンとは別体に形成される筒部材が前記リザーバピストンに固定され、前記第１ガイド部が前記筒部材で形成されることを第６の特徴とする。
【発明の効果】
【００１２】
本発明の第１の特徴によれば、リザーバピストン内に、リザーバスプリングよりも小さなばね荷重の第１スプリングと、第１スプリングよりも大きくかつリザーバスプリングよりも小さなばね荷重の第２スプリングとを備える弾発手段が、リザーバピストンおよび中間ピストン間に介装されるようにして装着されるので、リザーバピストンがリザーバ室の容積を最小とした位置にある状態で、サクション弁の開閉にリザーバスプリングのばね力を無関係とすることができる。しかも第１スプリングが所定値以上圧縮されるのに応じて第２スプリングのばね力が中間ピストンに作用するので、通常のブレーキ操作時に、マスタシリンダからの液圧出力が開始されると、第１スプリングを圧縮するように中間ピストンがストロークすることでサクション弁を閉弁することができ、ブレーキ操作荷重の低い状態で大部分の液損を生じさせるようにしてブレーキ操作時の違和感を軽減することができる。またマスタシリンダからの出力液圧が低下するのに応じて、サクション弁は、第２スプリングが発揮する大きなばね力によって開弁される。
【００１３】
また本発明の第２の特徴によれば、第１スプリングおよび第２スプリングが同軸に配置されるので、弾発手段をリザーバピストン内にコンパクトに収容することができる。
【００１４】
本発明の第３の特徴によれば、リザーバピストンに当接した第１リテーナで受けた第１スプリングを所定値以上圧縮するように中間ピストンがリザーバピストン側に移動してサクション弁を閉弁する際に、リザーバピストンに固定された第２リテーナで受けられていた第２スプリングのリザーバ側の端部が第１リテーナで受けられるようになるので、第１スプリングが所定値以上圧縮されるのに応じて第２スプリングのばね力を中間ピストンに作用させることができ、中間ピストンに作用するばね力を２段階で変化させることができる。
【００１５】
本発明の第４の特徴によれば、第１リテーナおよび第２リテーナが、軸方向での制限された範囲での相対移動を可能として相互に組み付けられることによって、弾発手段のリザーバピストンへの組み付けが容易となる。
【００１６】
本発明の第５の特徴によれば、第１リテーナにおける円盤部の外周がリザーバピストンの第１ガイド部に摺動可能に嵌合され、第１リテーナにおける軸部がリザーバピストンの第２ガイド部に摺動可能に嵌合されるので、第１リテーナの移動を安定してガイドすることができる。
【００１７】
さらに本発明の第６の特徴によれば、第１ガイド部を形成するようにしてリザーバピストンに固定される筒部材によって第１リテーナのリザーバピストンからの離脱が阻止されるので、第１リテーナのリザーバピストンからの離脱を阻止するための専用部品を不要として部品点数を低減することができる。
【図面の簡単な説明】
【００１８】
【図１】第１の実施の形態の車両用ブレーキ液圧制御装置の液圧回路図である。
【図２】モジュレータのうちリザーバ、サクション弁、中間ピストンおよび液圧ポンプを示す縦断面図である。
【図３】図２の３矢示部拡大図である。
【図４】図２の４矢示部拡大図である。
【図５】第１および第２リテーナの斜視図である。
【図６】第２の実施の形態の図４に対応した断面図である。
【発明を実施するための形態】
【００１９】
以下、本発明の実施の形態について添付の図面を参照しながら説明する。
【００２０】
本発明の第１の実施の形態について図１〜図５を参照しながら説明すると、先ず図１において、マスタシリンダＭは、ブレーキペダルＰの踏み込み操作に応じてブレーキ液圧を出力する第１および第２出力ポート１１Ａ，１１Ｂを有してタンデム型に構成されており、このマスタシリンダＭと、左前輪用車輪ブレーキＢＡ、右後輪用車輪ブレーキＢＢ、右前輪用車輪ブレーキＢＣおよび左後輪用車輪ブレーキＢＤとの間にモジュレータ１２が介設される。
【００２１】
前記モジュレータ１２は制御弁手段１３を備える。この制御弁手段１３は、左前輪用車輪ブレーキＢＡ、右後輪用車輪ブレーキＢＢ、右前輪用車輪ブレーキＢＣおよび左後輪用車輪ブレーキＢＤに個別に対応した第１〜第４入口弁１４Ａ〜１４Ｄと、左前輪用車輪ブレーキＢＡ、右後輪用車輪ブレーキＢＢ、右前輪用車輪ブレーキＢＣおよび左後輪用車輪ブレーキＢＤに個別に対応した第１〜第４出口弁１５Ａ〜１５Ｄとから成り、第１〜第４入口弁１４Ａ〜１４Ｄは常開型電磁弁であり、第１〜第４出口弁１５Ａ〜１５Ｄは常閉型電磁弁である。
【００２２】
第１および第２入口弁１４Ａ，１４Ｂは、第１出力ポート１１Ａに連なる第１入力通路１６Ａと、左前輪用車輪ブレーキＢＡおよび右後輪用車輪ブレーキＢＢに個別に連なる第１および第２出力通路１８Ａ，１８Ｂとの間に設けられ、第３および第４入口弁１４Ｃ，１４Ｄは、第２出力ポート１１Ｂに連なる第２入力通路１６Ｂと、右前輪用車輪ブレーキＢＣおよび左後輪用車輪ブレーキＢＤに個別に連なる第３および第４出力通路１８Ｃ，１８Ｄとの間に設けられる。第１入力通路１６Ａには第１レギュレータ弁１７Ａが介設され、第２入力通路１６Ｂには第２レギュレータ弁１７Ｂが介設される。
【００２３】
第１および第２出口弁１５Ａ，１５Ｂは、第１および第２出力通路１８Ａ，１８Ｂと、第１減圧通路２０Ａとの間に設けられ、第３および第４出口弁１５Ｃ，１５Ｄは、第３および第４出力通路１８Ｃ，１８Ｄと、第２減圧通路２０Ｂとの間に設けられる。第１および第２減圧通路２０Ａ，２０Ｂは、第１および第２リザーバ１９Ａ，１９Ｂがそれぞれ有するリザーバ室２６に個別に接続される。
【００２４】
第１入力通路１６Ａにおいて第１レギュレータ弁１７Ａと第１および第２入口弁１４Ａ，１４Ｂとの接続部は、第１オリフィス２２Ａが介設される第１還流通路２１Ａを介して第１液圧ポンプ２３Ａの吐出側に接続され、第２入力通路１６Ｂにおいて第２レギュレータ弁１７Ｂと第３および第４入口弁１４Ｃ，１４Ｄとの接続部は、第２オリフィス２２Ｂが介設される第２還流通路２１Ｂを介して第２液圧ポンプ２３Ｂの吐出側に接続され、第１および第２液圧ポンプ２３Ａ，２３Ｂは共通の電動モータ２４で駆動される。
【００２５】
第１および第２液圧ポンプ２３Ａ，２３Ｂの吸入側は、それらの液圧ポンプ２３Ａ，２３Ｂに個別に対応した吸入室２５にそれぞれ接続されており、それらの吸入室２５は、第１および第２リザーバ１９Ａ，１９Ｂがそれぞれ備えるリザーバ室２６からのブレーキ液の流入が可能である。また第１入力通路１６Ａにおいて第１レギュレータ弁１７Ａと第１出力ポート１１Ａとの間には第１サクション通路２７Ａが接続され、第２入力通路１６Ｂにおいて第２レギュレータ弁１７Ｂと第２出力ポート１１との間には第２サクション通路２７Ｂが接続される。
【００２６】
第１サクション通路２７Ａは、第１液圧ポンプ２３Ａの吸入側に連なる前記吸入室２５に第１サクション弁２８Ａを介して接続され、第２サクション通路２７Ｂは、第２液圧ポンプ２３Ｂの吸入側に連なる前記吸入室２５に第２サクション弁２８Ｂを介して接続される。
【００２７】
第１および第２サクション弁２８Ａ，２８Ｂは、前記第１および第２液圧ポンプ２３Ａ，２３Ｂの非作動状態での前記マスタシリンダＭからの液圧出力に応じて閉弁状態となり、第１および第２液圧ポンプ２３Ａ，２３Ｂの作動に伴う前記吸入室２５の液圧低下ならびに第１および第２リザーバ１９Ａ，１９Ｂがそれぞれ個別に備える前記リザーバ室２６の容積縮小に応じて開弁する。
【００２８】
次に図２〜図５を参照して、第１リザーバ１９Ａ、第１液圧ポンプ２３Ａおよび第１サクション弁２８Ａについて具体的に説明するが、第２リザーバ１９Ｂ、第２液圧ポンプ２３Ｂおよび第２サクション弁２８Ｂは、第１リザーバ１９Ａ、第１液圧ポンプ２３Ａおよび第１サクション弁２８Ａと基本的に同様に構成されるので詳細な説明は省略する。
【００２９】
図２に注目して、前記モジュレータ１２のボディ３０には、その下端面に開口するリザーバ孔３１が設けられており、第１リザーバ１９Ａは、左前輪用車輪ブレーキＢＡおよび右後輪用車輪ブレーキＢＢから減圧されたブレーキ液を貯留するリザーバ室２６を前記ボディ３０との間に形成しつつ前記リザーバ孔３１に摺動可能に嵌合されるリザーバピストン３２と、前記リザーバ室２６の容積を縮小する側に前記リザーバピストン３２を付勢するリザーバスプリング３３とを有し、第１減圧通路２０Ａが、前記リザーバ室２６に通じるようにして前記ボディ３０に設けられる。
【００３０】
前記リザーバピストン３２の外周には、前記リザーバ孔３１の内周に弾発的に摺接する環状の第１のシール部材３４が装着される。また前記ボディ３０の下端部には、前記リザーバ孔３１の下端部を閉じる蓋板３５が、外部に開放したばね室３６を前記リザーバピストン３２との間に形成するようにしてかしめ固定され、前記ばね室３６に収容される前記リザーバスプリング３３が、前記リザーバピストン３２および前記蓋板３５間に縮設される。
【００３１】
前記リザーバ孔３１の下部内周には、前記蓋板３５に隣接して環状溝３７が形成されており、この環状溝３７には、前記リザーバ室２６の容積を大きくする側への前記リザーバピストン３２の移動端を該リザーバピストン３２への当接によって規制する第１のストッパリング３８が装着される。
【００３２】
前記ボディ３０には、前記リザーバ孔３１よりも小径であって該リザーバ孔３１の上端に連なって上方に延びるハウジング取付け孔３９が設けられる。このハウジング取付け孔３９は、前記リザーバ孔３１から偏心した位置で上下に延びるようにして前記ボディ３０に設けられるものであり、上方に向かうにつれて段階的に小径となるように形成される。また前記ボディ３０には、前記ハウジング取付け孔３９よりも小径であって該ハウジング取付け孔３９の上端から上方に延びるフィルタ装着孔４０が上端を閉じるようにして設けられ、このフィルタ装着孔４０の上端部に、第１サクション通路２７Ａが連通される。また前記フィルタ装着孔４０には、前記ハウジング取付け孔３９側からフィルタ４１が収容、固定される。
【００３３】
前記ハウジング取付け孔３９には、筒状のハウジング４３が圧入、固定されるものであり、このハウジング４３は、前記ハウジング取付け孔３９に対応して段付きの円筒状に形成されるハウジング主体４４と、該ハウジング主体４４の上端部に結合される円筒状の支持筒４５とから成り、前記ハウジング主体４４の上端部が前記支持筒４５の下端部に同軸に圧入される。
【００３４】
図３に注目して、第１サクション弁２８Ａは、前記ボディ３０内に収容、固定される前記ハウジング４３における前記支持筒４５との間に第１の弁室４６を形成するようにして前記支持筒４５に摺動可能に嵌合される弁座部材４７と、球状に形成されて第１の弁室４６に収容される第１の弁体４８と、前記弁座部材４７および前記第１の弁体４８間に設けられて第１の弁室４６に収容される第１の弁ばね４９とを備える。
【００３５】
前記支持筒４５の上端部には、前記フィルタ装着孔４０に通じる通路孔５０を形成するようにして半径方向内方に張り出す第１の内向き鍔部４５ａが一体に設けられており、前記弁座部材４７の軸方向中間部内周には、第１の弁室４６に臨んで開口して前記通路孔５０と同軸に配置される弁孔５１を形成するようにして半径方向内方に張り出す第２の内向き鍔部４７ａが一体に設けられ、この第２の内向き鍔部４７ａに、第１の弁室４６に臨むテーパ状の第１の弁座５２が前記弁孔５１を中央部に開口させるようにして形成される。前記第１の弁体４８は前記第１の弁座５２に着座することを可能として前記第１の弁室４６に収容される。前記第１の弁ばね４９は、第１の弁室４６に収容されており、前記第１の弁体４８を第１の弁座５２に着座させるばね力を発揮するようにして前記第１の内向き鍔部４５ａおよび前記第１の弁体４８間に設けられる。
【００３６】
また前記第１サクション弁２８Ａは、前記第１の弁座５２よりも大径に形成されて前記ボディ３０内の固定位置に配置される第２の弁座５３と、第２の弁座５３に着座することを可能として前記弁座部材４７に一体に設けられる弁体部５４とを備える。
【００３７】
前記第２の弁座５３は、前記ハウジング４３におけるハウジング主体４４の上端部内周にテーパ状に形成されるものであり、前記弁孔５１の軸線に沿う方向に移動することが可能な前記弁座部材４７の前記ハウジング主体４４側端部に前記弁体部５４が一体に設けられる。
【００３８】
しかも前記ハウジング主体４４における前記支持筒４５の内周には、前記弁体部５４が第２の弁座５３から離座した状態で、前記弁孔５１を迂回して前記第１の弁室４６および前記吸入室２５間でのブレーキ液の流通を可能とするための通路溝５５が設けられており、前記弁体部５４が第２の弁座５３から離座したときには、前記弁孔５１が開放しているものの、第２の弁座５３に前記弁体部５４が着座している状態よりも多くのブレーキ液の流通が可能となる。
【００３９】
図４に注目して、前記ハウジング４３における前記ハウジング主体４４内には、上下に延びるシリンダ孔５６が形成されており、第１サクション弁２８Ａおよび前記リザーバピストン３２間に介装される中間ピストン５７が前記シリンダ孔５６に摺動可能に嵌合される。
【００４０】
前記中間ピストン５７は、円筒状に形成されるとともに前記シリンダ孔５６の内周との間に介装される環状の第２のシール部材６３が外周に装着されるピストン主体５８と、該ピストン主体５８の前記リザーバピストン３２とは反対側に同軸に結合されるロッド５９とから成るものである。
【００４１】
この中間ピストン５７は、前記ハウジング４３における前記支持筒４５との間に、吸入室２５を形成するようにして前記シリンダ孔５６に液密にかつ摺動可能に嵌合されるものであり、前記リザーバピストン３２が前記リザーバ室２６の容積を増大する側に移動した状態で前記リザーバ室２６に通じる通路６０が、前記ピストン主体５８に同軸に設けられる。
【００４２】
前記ロッド５９は、前記ピストン主体５８の上端部に同軸に結合される円筒部５９ａと、前記ピストン主体５８の上端部に対向して前記円筒部５９ａの上端部を閉じる端壁部５９ｂと、前記弁孔５１よりも大径に形成されるようにして前記端壁部５９ｂに同軸に連設されて上方に延びる大径ロッド部５９ｃと、前記弁孔５１に緩やかに挿通されるようにして前記大径ロッド部５９ｃに同軸に連なる小径ロッド部５９ｄとを有し、前記大径ロッド部５９ｃの一端部は前記弁座部材４７の前記第２の内向き鍔部４７ａに下方から当接可能であり、前記大径ロッド部５９ｃの一端部に同軸に連なる前記小径ロッド部５９ｄの一端部は、前記第１の弁室４６に収容される前記第１の弁体４８に当接可能である。
【００４３】
前記中間ピストン５７は、前記吸入室２５の液圧によって軸方向位置を変化させるとともに、前記第１リザーバ１９Ａにおける前記リザーバピストン３２の軸方向移動によっても軸方向位置を変化させるものであり、吸入室２５の液圧増大時に伴う前記中間ピストン５７の移動によって、第１サクション弁２８Ａは、先ず第１の弁体４８が第１の弁座５２に着座した後に、第１の弁体４８を介して前記弁座部材４７が第１の弁ばね４９で押されることによって前記弁体部５４が第２の弁座５３に着座することになって閉弁状態となる。また前記第１液圧ポンプ２３Ａに作動によって吸入室２５の液圧が低下したとき、ならびに前記第１リザーバ１９Ａの前記リザーバ室２６の容積が減少する方向の前記リザーバピストン３２の軸方向移動時には、前記中間ピストン５７の一部を構成する前記ロッド５９の小径ロッド部５９ｄの一端部で第１弁体４８が押し上げられることによって、第１の弁体４８が第１の弁座５２から離座して弁孔５１が開放され、次いで前記弁座部材４７の前記内向き鍔部４７ａが前記大径ロッド部５９ｃで押し上げられることによって、前記弁体部５４が第２の弁座５３から離座し、第１サクション弁２８Ａが開弁する。
【００４４】
しかも前記大径ロッド部５９ｃの前記一端部は前記弁座部材４７が有する前記第２の内向き鍔部４７ａに当接可能であり、第１の弁体４８を第１の弁座５２から離座させるように前記大径ロッド部５９ｃが前記第２の内向き鍔部４７ａに当接したときにブレーキ液の流通を許容する溝６７が、前記大径ロッド部５９ｃの前記一端部に放射状に延びるように形成される。
【００４５】
前記ハウジング４３における前記ハウジング主体４４の側壁部には、該ハウジング主体４４の外周および前記ボディ３０間に形成される環状室６１に前記吸入室２５を連通させる複数の連通孔６２が設けられており、前記ボディ３０に内蔵される第１液圧ポンプ２３Ａの吸入側が前記環状室６１に連通される。したがって第１液圧ポンプ２３Ａの作動によって前記吸入室２５のブレーキ液は第１液圧ポンプ２３Ａに吸入されることになる。
【００４６】
前記中間ピストン５７には、前記リザーバ室２６から前記吸入室２５へのブレーキ液の流通を許容する一方向弁６４が内蔵されており、この一方向弁６４は、前記ハウジング主体５８および前記ロッド５９間に形成される第２の弁室６５に収容される球状の第２の弁体６６と、前記通路６０を中央部に開口させるようにしつつ第２の弁室６５に臨むようにして前記ハウジング主体５８の上端部にテーパ状に形成される第３の弁座６８と、第２の弁体６６を第３の弁座６８に着座させる方向に付勢するばね力を発揮するようにして前記ロッド５９および前記第２の弁体６６間に設けられて前記第２の弁室６５に収容される第２の弁ばね６９とを備える。
【００４７】
前記ロッド５９における前記円筒部５９ａの側壁には、前記第２の弁室６５を前記吸入室２５に連通させる複数の連通孔７０が設けられる。
【００４８】
前記中間ピストン５７における前記ピストン主体５８の前記第１リザーバ１９Ａ寄り外周には環状突部５８ａが一体に突設される。一方、前記シリンダ孔５６の前記リザーバピストン３２寄りの内周には、環状の装着溝７１が設けられており、前記環状突部５８ａに前記第１リザーバ１９Ａ側から当接することで前記中間ピストン５７の前記第１リザーバ１９Ａ側への移動端を規制する第２のストッパリング７２が装着される。
【００４９】
前記リザーバピストン３２内には、該リザーバピストン３２および前記中間ピストン５７間に介装されるようにして弾発手段７５が収容される。
【００５０】
この弾発手段７５は、前記リザーバスプリング３３よりも小さなばね荷重のコイル状の第１スプリング７６と、第１スプリング７６よりも大きくかつ前記リザーバスプリング３３よりも小さなばね荷重のコイル状の第２スプリング７７とを有し、前記第１サクション弁２８Ａを閉じる側への前記中間ピストン５７の移動時に前記第１スプリング７６が所定値以上圧縮されるのに応じて前記第２スプリング７７によるばね力の前記中間ピストン５７への作用が開始されるように構成される。
【００５１】
しかも前記弾発手段７５は、前記第１および前記第２スプリング７６，７７に加えて、前記リザーバピストン３２との間に前記第１スプリング７６が介設されるようにして前記中間ピストン５７の前記ピストン主体５８に当接する第１リテーナ７８と、一端部が前記リザーバピストン３２に当接する第２スプリング７７の前記中間ピストン５７側の他端部を受けることを可能として前記リザーバピストン３２に固定される第２リテーナ７９とを備える。
【００５２】
前記リザーバピストン３２には、前記中間ピストン５７から遠ざかるにつれて段階的に小径となるようにした段付きの収容凹部８０が、前記中間ピストン５７側に開放するようにして設けられており、この収容凹部８０に前記弾発手段７５が収容される。
【００５３】
図５に注目して、前記第１リテーナ７８は、前記中間ピストン５７の前記ピストン主体５８に第１リザーバ１９Ａ側から当接する円盤部７８ａと、該円盤部７８ａの中央部に同軸に連なって前記中間ピストン５７とは反対側に延びる軸部７８ｂと、該軸部７８ｂの周方向に等間隔をあけつつ前記軸部７８ｂの半径方向外方に配置されるようにして前記円盤部７８ａから前記軸部７８ｂと同方向に突出する複数個たとえば４個のばね受け部７８ｃとを一体に有するように形成される。
【００５４】
前記収容凹部８０の開放端部には、前記リザーバピストン３２とは別部材である筒部材８１が、たとえば圧入によって固定され、この筒部材８１によって形成される第１ガイド部８２すなわち前記リザーバピストン３２に設けられる第１ガイド部８２に、前記第１リテーナ７８における前記円盤部７８ａの外周が摺動可能に嵌合される。しかも前記筒部材８１には、その中間ピストン５７側の端部から半径方向内方に張り出す規制鍔部８１ａが一体に設けられており、前記円盤部７８ａの外周には、前記規制鍔部８１ａに前記中間ピストン５７とは反対側から当接することで第１リテーナ７８の前記リザーバピストン３２からの離脱を阻止する環状段部８４が形成される。
【００５５】
前記第１スプリング７６の前記中間ピストン５７側の端部は、前記第１リテーナ７８の前記円盤部７８ａに、前記軸部７８ｂおよび前記ばね受け部７８ｃ間で当接される。また前記中間ピストン５７における前記ピストン主体５８の前記第１リザーバ１９Ａ側の端部外周には、前記第１リテーナ７８の前記円盤部７８ａに当接する環状の第３のシール部材８６が装着される。
【００５６】
前記収容凹部８０の内端部は、有底孔である第２ガイド部８３を構成しており、このリザーバピストン３２に設けられる第２ガイド部８３に前記第１リテーナ７８における前記軸部７８ｂが摺動可能に嵌合される。しかも前記軸部７８ｂの外周には、該軸部７８ｂおよび前記リザーバピストン３２間で加、減圧が生じることを回避するための複数の逃がし溝８５が軸方向に延びるようにして設けられる。
【００５７】
第２リテーナ７９は、前記第１リテーナ７８の前記円盤部７８ａを前記中間ピストン５７との間に挟む位置で前記リザーバピストン３２の前記収容凹部８０に圧入、固定される外筒部７９ａと、前記第１リテーナ７８における前記軸部７８ｂを同軸に囲繞して前記外筒部７９ａの半径方向内方に配置される内筒部７９ｂと、前記外筒部７９ａおよび前記内筒部７９ｂ間に連結する連結板部７９ｃとを一体に有しており、前記内筒部７９ｂおよび前記連結板部７９ｃの周方向に等間隔をあけた４箇所には、前記第１リテーナ７８の前記ばね受け部７８ｃを移動可能に挿入させるスリット８７が形成される。
【００５８】
一端部が前記リザーバピストン３２に当接されるとともに前記第１スプリング７６を同軸に囲繞する第２スプリング７７の他端部は、前記第２リテーナ７９の前記連結板部７９ｃに当接可能であるとともに、第１リテーナ７８の前記ばね受け部７８ｃにも当接可能である。
【００５９】
ところでリザーバピストン３２が前記リザーバ室２６の容積を最小として前記ボディ３０に当接している状態で、マスタシリンダＭからの液圧が吸入室２５に作用していないときに、前記中間ピストン５７は、その小径ロッド部５９ｄで第１の弁体４８を第１の弁座５２から離座させるように押し上げるとともに前記大径ロッド部５９ｃで前記第２の弁座５３から前記弁体部５４が離座するように前記弁座部材４７を押し上げて、前記第１サクション弁２８Ａを開弁させた状態にある。この際、第１リテーナ７８のばね受け部７８ｃの一部が、第２リテーナ７９におけるスリット８７に挿入されるように第１リテーナ７８が形成される。
【００６０】
前記マスタシリンダＭからの液圧出力に応じて前記吸入室２５の液圧が作用し、前記中間ピストン５７が前記第１サクション弁２８Ａを閉じるべく第１スプリング７６を圧縮しながらリザーバピストン３２側に移動し、第１スプリング７６を所定値以上圧縮したときに第１リテーナ７８の前記ばね受け部７８ｃが、第２リテーナ７９の連結板部７９ｃに当接していた第２スプリング７７に当接することになる。
【００６１】
すなわち前記リザーバピストン３２に一端部が当接される第２スプリング７７の他端部は、前記第１サクション弁２８Ａの開弁時には、前記リザーバピストン３２に固定された第２リテーナ７９の前記連結板部７９ｃで受けられるのであるが、前記中間ピストン５７が第１スプリング７６を所定値以上圧縮して前記第１サクション弁２８Ａを閉じる側に移動するのに応じて前記第１リテーナ７８のばね受け部７８ｃで受けられることになり、第２スプリング７７のばね力が前記中間ピストン５７に作用することになる。
【００６２】
ここで通常のブレーキ制御、アンチロックブレーキ制御および自動ブレーキ制御が実行されたときの第１および第２リザーバ１９Ａ，１９Ｂ、第１および第２液圧ポンプ２３Ａ，２３Ｂならびに第１および第２サクション弁２８Ａ，２８Ｂの動作を次に説明する。
【００６３】
通常のブレーキ制御時には、第１〜第４入口弁１４Ａ〜１４Ｄと、第１および第２レギュレータ弁１７Ａ，１７Ｂとは開弁し、第１〜第４出口弁１５Ａ〜１５Ｄは閉弁しており、ブレーキペダルＰを踏み込むことによって、第１および第２サクション弁２８Ａ，２８Ｂは、マスタシリンダＭからの液圧作用に応じて閉弁状態となり、マスタシリンダＭから出力される液圧は、左前輪用車輪ブレーキＢＡ，右後輪用車輪ブレーキＢＢ、右前輪用車輪ブレーキＢＣおよび左後輪用車輪ブレーキＢＤに伝達される。
【００６４】
前記ブレーキペダルＰを踏み込んだブレーキ状態で車輪がロック状態に陥りそうになったときのアンチロックブレーキ制御時には、ロック状態に陥りそうになった車輪ブレーキに作用する液圧の減圧、保持および増圧を、第１〜第４入口弁１４Ａ〜１４Ｄおよび第１〜第４出口弁１５Ａ〜１５Ｄの少なくとも一部が開閉制御されるが、第１〜第４出口弁１５Ａ〜１５Ｄの少なくとも一部が開弁することで左前輪用車輪ブレーキＢＡ、右後輪用車輪ブレーキＢＢ、右前輪用車輪ブレーキＢＣおよび左後輪用車輪ブレーキＢＤから減圧されたブレーキ液が、第１および第２リザーバ１９Ａ，１９Ｂの前記リザーバ室２６に流入することになる。この際、第１および第２液圧ポンプ２３Ａ，２３Ｂが作動することで、前記リザーバ室２６のブレーキ液は、前記一方向弁６４を介して前記吸入室２５側に流入し、第１および第２液圧ポンプ２３Ａ，２３Ｂから吐出されるブレーキ液は、第１および第２還流路２１Ａ，２１Ｂを経て第１および第２入力通路１６Ａ，１６Ｂ側に還流される。
【００６５】
たとえばブレーキペダルＰの急ブレーキ操作に伴ってブレーキアシストを行うようにした加圧ブレーキ制御時には、第１および第２液圧ポンプ２３Ａ，２３Ｂが電動モータ２４で駆動されるとともに第１および第２レギュレータ弁１７Ａ，１７Ｂが閉弁される。この際、第１および第２液圧ポンプ２３Ａ，２３Ｂの作動によって前記吸入室２５の液圧が低下し、第１および第２リザーバ１９Ａ，１９Ｂのリザーバ室２６からのブレーキ液が前記一方向弁６４を介して前記吸入室２５に流入し、リザーバピストン３２が前記リザーバ室２６の容積を減少する方向に移動することにより、中間ピストン５７が上昇して第１および第２サクション弁２８Ａ，２８Ｂが開弁する。これにより、マスタシリンダＭからのブレーキ液が吸入室２５に流入し、吸入室２５の液圧低下状態が解消されるのに応じてリザーバピストン３２および中間ピストン５７が降下し、第１および第２サクション弁２８Ａ，２８Ｂが閉弁するが、第１および第２液圧ポンプ２３Ａ，２３Ｂの継続した作動によって前記吸入室２５の液圧が低下し、第１および第２サクション弁２８Ａ，２８Ｂが開弁する。このような第１および第２サクション弁２８Ａ，２８Ｂの開閉の繰り返しによって前記マスタシリンダＭの出力液圧の一部が第１および第２液圧ポンプ２３Ａ，２３Ｂで吸入され、マスタシリンダＭの出力液圧以上に昇圧されて第１および第２還流通路２１Ａ，２１Ｂから第１および第２入力通路１６Ａ，１６Ｂに吐出され、左前輪用車輪ブレーキＢＡ、右後輪用車輪ブレーキＢＢ、右前輪用車輪ブレーキＢＣおよび左後輪用車輪ブレーキＢＤに供給されるので、急ブレーキ操作に対応することができる。
【００６６】
またブレーキペダルＰの非操作状態での車両発進時に駆動輪である前輪の空転を回避するようにした自動ブレーキ制御（トラクション制御）時には、第１および第２液圧ポンプ２３Ａ，２３Ｂが電動モータ２４で駆動されるとともに、第１および第２レギュレータ弁１７Ａと、第２および第４入口弁１４Ｂ，１４Ｄとが閉弁される。この際、第１および第２サクション弁２８Ａ，２８Ｂは、前記吸入室２５の減圧によって開弁し、マスタシリンダＭの作動液は前記吸入室２５から第１および第２液圧ポンプ２３Ａで吸引、昇圧され、第１および第２還流通路２１Ａ，２１Ｂから第１および第２入力通路１６Ａ，１６Ｂに吐出されることになる。この際、第１および第２レギュレータ弁１７Ａ，１７Ｂで第１および第２入力通路１６Ａ，１６Ｂの液圧を調節することで、駆動輪用車輪ブレーキである左前輪用車輪ブレーキＢＡおよび右前輪用車輪ブレーキＢＣの適正な作動が可能となる。
【００６７】
さらにブレーキペダルＰの非操作状態での車両旋回時に車両の挙動を安定化させるために、左右の車輪の一方たとえば右側の車輪に装着された右後輪用車輪ブレーキＢＢおよび右前輪用車輪ブレーキＢＣを作動させるようにした自動ブレーキ制御時には、第１および第２液圧ポンプ２３Ａ，２３Ｂが電動モータ２４で駆動されるとともに、第１および第２レギュレータ弁１７Ａ，１７Ｂと、第１および第４入口弁１４Ａ，１４Ｄが閉弁される。この際、第１および第２サクション弁２８Ａ，２８Ｂは、前記吸入室２５の減圧によって開弁し、マスタシリンダＭの作動液は前記吸入室２５から第１および第２液圧ポンプ２３Ａ，２３Ｂで吸引、昇圧され、第１および第２還流通路２１Ａ，２１Ｂから第１および第２入力通路１６Ａ，１６Ｂに吐出されることになる。この際、第１および第２レギュレータ弁１７Ａ，１７Ｂで第１および第２入力通路１６Ａ，１６Ｂの液圧を調節することで、右後輪用車輪ブレーキＢＢおよび右前輪用車輪ブレーキＢＣの適正な作動による挙動安定化が可能となる。
【００６８】
次にこの第１の実施の形態の作用について説明すると、第１および第２リザーバ１９Ａ，１９Ｂにおけるリザーバスプリング３３よりも小さなばね荷重のコイル状の第１スプリング７６ならびに第１スプリング７６よりも大きくかつ前記リザーバスプリング３３よりも小さなばね荷重のコイル状の第２スプリング７７を有するとともに第１および第２サクション弁２８Ａ，２８Ｂを閉じる側への中間ピストン５７の移動時に前記第１スプリング７６が所定値以上圧縮されるのに応じて前記第２スプリング７７によるばね力の前記中間ピストン５７への作用が開始されるようにした弾発手段７５が、リザーバピストン３２および前記中間ピストン５７間に介装されるようにして前記リザーバピストン３２内に収容されるので、リザーバピストン３２がリザーバ室２６の容積を最小とした位置にある状態で、第１および第２サクション弁２８Ａ，２８Ｂの開閉にリザーバスプリング３３のばね力を無関係とすることができる。しかも第１スプリング７６が所定値以上圧縮されるのに応じて第２スプリング７７のばね力が中間ピストン５７に作用するので、通常のブレーキ操作時に、マスタシリンダＭからの液圧出力が開始されると、第１スプリング７６を圧縮するように中間ピストン５７がストロークすることで第１および第２サクション弁２８Ａ，２８Ｂを閉弁することができ、ブレーキ操作荷重の低い状態で大部分の液損を生じさせるようにしてブレーキ操作時の違和感を軽減することができる。またマスタシリンダＭからの出力液圧が低下するのに応じて、第１および第２サクション弁２８Ａ，２８Ｂは、第２スプリング７７が発揮する大きなばね力によって開弁される。
【００６９】
また前記第１スプリング７６と、その第１スプリング７６を囲繞する第２スプリング７７とが同軸に配置されるので、弾発手段７５をリザーバピストン３２内にコンパクトに収容することができる。
【００７０】
また前記弾発手段７５は、前記リザーバピストン３２との間に前記第１スプリング７６が介設されるようにして前記中間ピストン５７に当接する第１リテーナ７８と、一端部が前記リザーバピストン３２に当接する第２スプリング７７の前記中間ピストン５７側の他端部を受けることを可能として前記リザーバピストン３２に固定される第２リテーナ７９とを備え、第１スプリング７６を前記所定値以上収縮させるように前記第１リテーナ７８が前記リザーバピストン３２側に近接したときに前記第２リテーナ７９に当接していた前記第２スプリング７８の前記他端部に前記中間ピストン５７側から前記第１リテーナ７８が当接するように前記第１リテーナ７８および前記第２リテーナ７９が形成されるので、第１スプリング７６が所定値以上圧縮されるのに応じて第２スプリング７７のばね力を中間ピストン５７に作用させることができ、中間ピストン５７に作用するばね力を２段階で変化させることができる。
【００７１】
また前記第１リテーナ７８が、前記中間ピストン５７に当接する円盤部７８ａと、該円盤部７８ａの中央部に同軸に連なる軸部７８ｂとを一体に有し、前記リザーバピストン３２に、前記円盤部７８ａの外周を摺動可能に嵌合させる第１ガイド部８２と、前記軸部７８ｂを摺動可能に嵌合させる第２ガイド部８３とが設けられるので、第１リテーナ７８の移動を安定してガイドすることができる。
【００７２】
さらに前記円盤部７８ａの前記リザーバピストン３２からの離脱を阻止する形状を有して前記リザーバピストン３２とは別体に形成される筒部材８１が前記リザーバピストン３２に固定され、前記第１ガイド部８２が前記筒部材８１で形成されるので、第１リテーナ７８のリザーバピストン３２からの離脱を阻止するための専用部品を不要として部品点数を低減することができる。
【００７３】
本発明の第２の実施の形態について図６を参照しながら説明するが、上記第１の実施の形態に対応する部分には同一の参照符号を付して図示するのみとし、詳細な説明は省略する。
【００７４】
前記リザーバピストン３２には、前記中間ピストン５７から遠ざかるにつれて段階的に小径となるようにした段付きの収容凹部８９が、前記中間ピストン５７側に開放するようにして設けられており、前記リザーバピストン３２および前記中間ピストン５７間に介装される弾発手段９０が前記収容凹部８９内に収容される。
【００７５】
この弾発手段９０は、前記リザーバスプリング３３よりも小さなばね荷重のコイル状の第１スプリング７６と、第１スプリング７６よりも大きくかつ前記リザーバスプリング３３よりも小さなばね荷重のコイル状の第２スプリング７７と、前記リザーバピストン３２との間に前記第１スプリング７６が介設されるようにして前記中間ピストン５７の前記ピストン主体５８に当接する第１リテーナ９１と、一端部が前記リザーバピストン３２に当接する第２スプリング７７の前記中間ピストン５７側の他端部を受けることを可能として前記リザーバピストン３２に固定される第２リテーナ９２とを備え、第１サクション弁２８Ａを閉じる側への前記中間ピストン５７の移動時に前記第１スプリング７６が所定値以上圧縮されるのに応じて前記第２スプリング７７によるばね力の前記中間ピストン５７への作用が開始されるように構成される。
【００７６】
前記第１リテーナ９１は、前記中間ピスト５７の前記ピストン主体５８に第１リザーバ１９Ａ側から当接する円盤部９１ａと、該円盤部９１の中央部に同軸に連なって前記中間ピストン５７とは反対側に延びる軸部９１ｂと、該軸部９１ｂの周方向に等間隔をあけつつ前記軸部９１ｂの半径方向外方に配置されるようにして前記円盤部９１ａから前記軸部９１ｂと同方向に突出する複数個たとえば４個のばね受け部９１ｃとを一体に有するように形成される。
【００７７】
前記収容凹部８９の開放端部は、前記第１リテーナ９１における前記円盤部９１ａの外周を摺動可能に嵌合させる第１ガイド部９３を構成し、前記収容凹部８９の内端部は、前記第１リテーナ９１における前記軸部９１ｂを摺動可能に嵌合させる有底孔である第２ガイド部９４を構成する。しかも前記軸部９１ｂの外周には、前記該軸部９１ｂおよび前記リザーバピストン３２間で加、減圧が生じることを回避するための複数の逃がし溝９５が軸方向に延びるようにして設けられる。
【００７８】
前記第１スプリング７６の前記中間ピストン５７側の端部は、前記第１リテーナ９１の前記円盤部９１ａに、前記軸部９１ｂおよび前記ばね受け部９１ｃ間で当接される。また前記中間ピストン５７における前記ピストン主体５８の前記第１リザーバ１９ａ側の端部外周には、前記第１リテーナ９１の前記円盤部９１ａに当接する環状の第３のシール部材８６が装着される。
【００７９】
第２リテーナ９２は、前記第１リテーナ９１の前記円盤部９１ａを前記中間ピストン５７との間に挟む位置で前記リザーバピストン３２の前記収容凹部８９に圧入、固定される外筒部９２ａと、前記第１リテーナ９１の前記軸部９１ｂを同軸に囲繞して前記外筒部９２ａの半径方向内方に配置される内筒部９２ｂと、前記外筒部９２ａおよび前記内筒部９２ｂ間を連結する連結板部９２ｃとを一体に有しており、前記内筒部９２ｂおよび前記連結板部９２ｃの周方向に等間隔をあけた４箇所には、前記第１リテーナ９１の前記ばね受け部９１ｃを移動可能に挿入させる開口部９６が形成される。
【００８０】
一端部が前記リザーバピストン３２に当接されるとともに前記第１スプリング７６を同軸に囲繞する第２スプリング７７の他端部は、前記第２リテーナ９２の前記連結板部９２ｃに当接可能であるとともに、第１リテーナ９１の前記ばね受け部９１ｃにも当接可能である。
【００８１】
ところでリザーバピストン３２が前記リザーバ室２６の容積を最小として前記ボディ３０に当接している状態で、前記マスタシリンダＭからの液圧出力に応じて前記吸入室２５の液圧が作用し、前記中間ピストン５７が前記第１サクション弁２８Ａを閉じるべく第１スプリング７６を圧縮しながらリザーバピストン３２側に移動し、第１スプリング７６を所定値以上圧縮したときに、図６で示すように第１リテーナ９１の前記ばね受け部９１ｃが、第２リテーナ９２の前記連結板部９２ｃに当接していた第２スプリング７７に当接することになる。
【００８２】
すなわち前記リザーバピストン３２に一端部が当接される第２スプリング７７の他端部は、前記第１サクション弁２８Ａの開弁時には前記リザーバピストン３２に固定された第２リテーナ９２の前記連結板部９２ｃで受けられるのであるが、前記中間ピストン５７が第１スプリング７６を所定値以上圧縮して前記第１サクション弁２８Ａを閉じる側に移動するのに応じて前記第１リテーナ９１のばね受け部９１ｃで受けられることになり、第２スプリング７７のばね力が前記中間ピストン５７に作用することになる。
【００８３】
しかも前記第１リテーナ９１の前記ばね受け部９１ｃにおける前記軸部９１ｂ寄りの端部には、前記第２リテーナ９２の前記開口部９６に挿通されるようにして前記リザーバピストン３２の軸方向に延びる延出腕部９１ｄの基端部が一体に連設されており、この延出腕部９１ｄの先端部には、前記軸部９１ｂの半径方向に沿う外方に向けて突出する係合爪部９１ｅが一体に設けられる。
【００８４】
一方、前記第２リテーナ９２の前記開口部９６は、前記係合爪部９１ｅを前記中間ピストン５７とは反対側から係合することを可能として前記開口部９６をそれぞれ跨ぐ４つの架橋部９２ｄｃを残すようにして、前記内筒部９２ｂおよび前記連結板部９２ｃの周方向に等間隔をあけた４箇所に形成されており、それらの架橋部９２ｄは、第２スプリング７７を受ける位置まで前記第１リテーナ９１の前記ばね受け部９１ｃを前記開口部９６に挿入することを妨げることがない位置に配置される。
【００８５】
すなわち前記第１リテーナ９１および前記第２リテーナ９２は、前記リザーバピストン３２の軸方向での制限された範囲での相対移動を可能として相互に組み付けられることになる。
【００８６】
この第２の実施の形態によれば、第１リテーナ９１および第２リテーナ９２が、軸方向での制限された範囲での相対移動を可能として相互に組み付けられることによって、弾発手段９０のリザーバピストン３２への組み付けが容易となる。
【００８７】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００８８】
１９Ａ，１９Ｂ・・・リザーバ
２３Ａ，２３Ｂ・・・液圧ポンプ
２５・・・吸入室
２６・・・リザーバ室
２８Ａ，２８Ｂ・・・サクション弁
３０・・・ボディ
３１・・・リザーバ孔
３２・・・リザーバピストン
３３・・・リザーバスプリング
５７・・・中間ピストン
７５，９０・・・弾発手段
７６・・・第１スプリング
７７・・・第２スプリング
７８，９１・・・第１リテーナ
７８ａ，９１ａ・・・円盤部
７８ｂ，９１ｂ・・・軸部
７９，９２・・・第２リテーナ
８１・・・筒部材
８２，９３・・・第１ガイド部
８３，９４・・・第２ガイド部
ＢＡ，ＢＢ，ＢＣ，ＢＤ・・・車輪ブレーキ
Ｍ・・・マスタシリンダ
【図１】
2016124339.tif 000003
【図２】
2016124339.tif 000004
【図３】
2016124339.tif 000005
【図４】
2016124339.tif 000006
【図５】
2016124339.tif 000007
【図６】
2016124339.tif 000008